(57)【要約】【課題】    短冊状で四つの角部が丸く形成された表示タグが連なって形成された表示タグ連続体に関し、予定切断部分よりずれて切断されてしまうとがなく、かつ、予定切断部分より切断しても切断部が毛羽立って目立つことのない、表示タグ連続体を提供することを課題とする。【解決手段】図１に示す表示タグ連続体１は、帯状タグ基材２の幅方向の予定切断位置に設けたミシン目３から切断することにより、短冊状で四つの角部が丸く形成された表示タグ４を形成可能とするとともに、この表示タグ４が前記ミシン目３を介して連続形成され、所定枚数の前記表示タグ４ごとに前記ミシン目３からつづら折りされたものである。前記ミシン目３は、切れ部および非切れ部が交互に形成され、前記切れ部および非切れ部の長さを０．２〜０．５ｍｍとし、前記切れ部および非切れ部の長さの比率をほぼ同程度としたものである。【選択図】        図１
2007034091.tif 000002
【特許請求の範囲】
【請求項１】
帯状タグ基材の幅方向の予定切断位置に設けたミシン目から切断することにより、短冊状で四つの角部が丸く形成された表示タグを形成可能とするとともに、この表示タグが前記ミシン目を介して連続形成され、所定枚数の前記表示タグごとに前記ミシン目からつづら折りされた表示タグ連続体であって、
前記ミシン目は、切れ部および非切れ部が交互に形成され、前記切れ部および前記非切れ部の長さを０．２〜０．５ｍｍとし、前記切れ部および前記非切れ部の長さの比率をほぼ同程度としたことを特徴とする表示タグ連続体。
【請求項２】
前記ミシン目は、前記予定切断位置の両端部に非切れ部を設け、この予定切断位置の両端部に設けた非切れ部の長さを１．０〜２．０ｍｍとしたことを特徴とする請求項１記載の表示タグ連続体。
【請求項３】
前記表示タグは、一方の面に可変情報がプリンタによって印字され、他方の面に固定情報があらかじめ印刷されていることを特徴とする請求項１記載の表示タグ連続体。
【発明の詳細な説明】
【技術分野】
【０００１】
本発明は、帯状タグ基材の幅方向の予定切断位置に設けたミシン目から切断することにより、短冊状で四つの角部が丸く形成された単葉の表示タグを形成することができる表示タグ連続体に関する。
【背景技術】
【０００２】
従来、衣料品などの商品には、品番、品名、サイズ、品質、製造国、会社名などの情報を表示した表示タグが取り付けられている。商品の販売者はこの表示タグの表示をもとに商品を陳列し、商品の購入者はこの表示タグの表示をもとに商品を選出して購入するものである。このように表示タグは、販売者および購入者、そのいずれにとっても不可欠なものである。
【０００３】
ところで、このような表示タグの形状は、ほとんどの場合が短冊状に形成されており、
その四つの角部の形状から、四つの角部がすべて直角に形成された表示タグと、四つの角部が丸く形成された表示タグと、の二つに分けることができる。
【０００４】
前記、四つの角部がすべて直角に形成された表示タグは、その四つの角部が先鋭状となっているので、たとえば、衣料品に取り付けられた場合は、その角部が衣料品の繊維に引っかかってしまうことがあり、繊維を引き出してしまったり、切断してしまったりして、取扱いが不便となることがあった。
【０００５】
そこで、近年、四つの角部が丸みを帯びて形成された表示タグが多く用いられている。このような表示タグは、商品ごとに取り付けられることから大量に必要とされるため、商品ごとの品番、色、サイズなどの可変情報をプリンタ印字することで表示している。このプリンタ印字される表示タグは、製造コストが安いこと、短時間に大量印字できること、から表示タグが連なった形状で用いられている。つまり、四つの角部が丸く形成された表示タグが連なった形状の表示タグ連続体が用いられている。
【０００６】
このような表示タグ連続体は、前記商品ごとの可変情報などをプリンタ印字した後、単葉の表示タグにするための境界となる部分が、プリンタのカッタ機構によって切断されて、四つの角部が丸く形成された単葉の表示タグとなる。
【０００７】
しかしながら、前記プリンタでは、表示タグ連続体の搬送量のずれや、カッタ機構の動作タイミングのずれが発生することがある。図７は、従来のプリンタ用表示タグ連続体を示す平面図である。図７（ａ）は、プリンタによって切断される前の表示タグ連続体を示しており、プリンタ用表示タグ連続体２０は、図中Ｃ−Ｃ線にて示す予定切断部分で切断されることによって、単葉のプリンタ用表示タグ２４ａおよび２４ｂとなる。なお、図中において、プリンタ用表示タグ連続体２０は、プリンタ用表示タグ２４ａ、２４ｂの順で搬送および切断されるものとする。
【０００８】
図７（ｂ）は、プリンタによってずれて切断された表示タグ連続体の一例を示しており、プリンタ用表示タグ連続体２０は、図中Ｃ−Ｃ線にて示す予定切断部分よりずれて前の部分で切断されることによって、単葉のプリンタ用表示タグ２４ａは図中の両側端の角部が直角となり、それに続く単葉のプリンタ用表示タグ２４ｂは図中の突出部両側端の角部が鋭角となってしまう。
【０００９】
図７（ｃ）は、プリンタによってずれて切断された表示タグ連続体のその他の例を示しており、プリンタ用表示タグ連続体２０は、図中Ｃ−Ｃ線にて示す予定切断部分よりずれて後ろの部分で切断されることによって、単葉のプリンタ用表示タグ２４ａは図中の突出部両側端の角部が鋭角となり、それに続く単葉のプリンタ用表示タグ２４ｂは図中の両側端の角部が直角となってしまう。
【００１０】
このようにプリンタによって切断されるプリンタ用表示タグ連続体２０では、予定切断部分よりずれて切断されてしまうと、単葉のプリンタ用表示タグ２４ａおよび２４ｂの角部が丸く形成されず、角部が直角となってしまったり、前後に突出部が形成されてその両側端の角部が鋭角となってしまったりすることがあった。
【００１１】
そこで、表示タグ連続体の予定切断部分にあらかじめ切断用のミシン目を形成しておき、表示する情報をプリンタ印字した後に、単葉の表示タグに切り離すようにしたものがある。図８は、予定切断部分にあらかじめ切断用のミシン目が形成された従来の表示タグ連続体を示す平面図である。
【００１２】
図８（ａ）は、切断用のミシン目によって切断される前の表示タグ連続体を示しており、表示タグ連続体３０の予定切断部分に、あらかじめ表示タグ基材を貫通する切れ部３５と、非切れ部３６と、が交互に形成されたミシン目３３が形成されており、このミシン目３３から切断されることにより、単葉の表示タグ３４ａおよび３４ｂが形成される。なお、図中において、切れ部３５および非切れ部３６はおのおの一つのみを付番し、それ以外の付番は省略している。
【００１３】
図８（ｂ）は、切断用のミシン目によって切断された後の表示タグ連続体を示しており、表示タグ連続体３０は、前記ミシン目３３から切断する際に前記非切れ部３６を引きちぎるようにして切断するため、単葉の表示タグ３４ａおよび３４ｂにおいて、この非切れ部３６に対応する部分であるミシン目切断部３７は、タグ基材である紙の繊維が細い毛のように毛羽立ってしまう。なお、図中において、ミシン目切断部３７は一つのみを付番し、それ以外の付番は省略している。
【００１４】
このように予定切断部分にあらかじめ切断用のミシン目３３を形成した従来の表示タグ連続体３０では、ミシン目３３の非切れ部３６を引きちぎるようにして切断するため、単葉の表示タグ３４ａと３４ｂとに切り離した際に、この非切れ部３６に対応する部分であるミシン目切断部３７は、タグ基材である紙の繊維が細い毛のように毛羽立ってしまうという問題があった。
【００１５】
なお、所定の位置に切り取り用のミシン目加工が施されたタグやチケットなどの表示札の製造方法に関するものとして、以下の特許文献１の公報がある。
【００１６】
【特許文献１】特開２００１−２３２７６０号公報。
【発明の開示】
【発明が解決しようとする課題】
【００１７】
本発明は以上のような諸問題に鑑みなされたもので、その目的とするところは、短冊状で四つの角部が丸く形成された表示タグが連なって形成された表示タグ連続体に関し、予定切断部分よりずれて切断されてしまうとがなく、かつ、予定切断部分より切断しても切断部が毛羽立って目立つことのない、表示タグ連続体を提供することを課題とする。
【課題を解決するための手段】
【００１８】
本発明は上記課題を解決すべく、以下に掲げる構成とした。
請求項１記載の発明の要旨は、帯状タグ基材の幅方向の予定切断位置に設けたミシン目から切断することにより、短冊状で四つの角部が丸く形成された表示タグを形成可能とするとともに、この表示タグが前記ミシン目を介して連続形成され、所定枚数の前記表示タグごとに前記ミシン目からつづら折りされた表示タグ連続体であって、前記ミシン目は、切れ部および非切れ部が交互に形成され、前記切れ部および前記非切れ部の長さを０．２〜０．５ｍｍとし、前記切れ部および前記非切れ部の長さの比率をほぼ同程度としたことを特徴とする表示タグ連続体に関する。
【００１９】
請求項２記載の発明の要旨は、前記ミシン目は、前記予定切断位置の両端部に非切れ部を設け、この予定切断位置の両端部に設けた非切れ部の長さを１．０〜２．０ｍｍとしたことを特徴とする請求項１記載の表示タグ連続体に関する。
【００２０】
請求項３記載の発明の要旨は、前記表示タグは、一方の面に可変情報がプリンタによって印字され、他方の面に固定情報があらかじめ印刷されていることを特徴とする請求項１記載の表示タグ連続体に関する。
【発明の効果】
【００２１】
本発明は、帯状タグ基材の幅方向の予定切断位置に設けたミシン目から切断することにより、短冊状で四つの角部が丸く形成された表示タグを形成可能とするとともに、この表示タグが前記ミシン目を介して連続形成され、所定枚数の前記表示タグごとに前記ミシン目からつづら折りされた表示タグ連続体であって、前記ミシン目は、切れ部および非切れ部が交互に形成され、前記切れ部および前記非切れ部の長さを０．２〜０．５ｍｍとし、前記切れ部および前記非切れ部の長さの比率をほぼ同程度としたので、予定切断部分よりずれて切断されてしまうとがなく、かつ、予定切断部分より切断しても切断部が毛羽立って目立つことのない、表示タグ連続体を提供することができる。
【発明を実施するための最良の形態】
【００２２】
本発明にかかる表示タグ連続体について、図１乃至図６を用いて説明する。まず、本発明にかかる表示タグ連続体の第１実施形態について説明する。図１は、本発明にかかる第１実施形態の表示タグ連続体のつづら折りした様態を示す斜視図であり、図２は、本発明にかかる第１実施形態の表示タグ連続体を示す平面図であり、図３は、図２に示すＡ−Ａ線断面図であり、図４は、本発明にかかる第１実施形態の表示タグ連続体を単葉の表示タグに切断した様態を示す平面図である。
【００２３】
図１に示す表示タグ連続体１は、帯状タグ基材２の幅方向の予定切断位置に設けたミシン目３から切断することにより、短冊状で四つの角部が丸く形成された表示タグ４を形成可能とするとともに、この表示タグ４が前記ミシン目３を介して連続形成され、所定枚数の前記表示タグ４ごとに前記ミシン目３からつづら折りされたものである。
【００２４】
この表示タグ連続体１は、たとえば、その一方の面に商品に共通する表示項目として、品番、色、サイズ、などの固定情報が印刷機などによってあらかじめ印刷されており、２枚の前記表示タグ４ごとにつづら折りされた様態で図示せぬプリンタにセットされ、前記品番、色、サイズ、などの固定情報に対応して、１２３４５、ＢＬＡＣＫ、Ｍ、などの数字や文字、所定の情報をコード化した図示せぬバーコードなどの可変情報がプリンタによって印字される。また、前記一方の面の反対側面である他方の面に、商品に共通するブランド名として、ＡＢＣ、などの固定情報が印刷機などによってあらかじめ印刷されている。なお、このように銘柄や商標などの固定情報があらかじめ印刷されている表示タグ４は、ブランドタグなどと呼ばれている。
【００２５】
こうした表示タグ連続体１は、たとえば、２枚の前記表示タグ４ごとに前記ミシン目３からつづら折りされた様態で図示せぬプリンタにセットされた場合、このつづら折りされた前記ミシン目３ごとに折り癖がついている。このため、プリンタによって前記可変情報が印字された後も、プリンタにセットした際と同じく折り癖がついている前記ミシン目３からつづら折りされた様態で積み上げることができる。このため、品番、色、サイズ、など印字した可変情報の内容ごとに分割して、ひとかたまりの表示タグ連続体１として管理することができる。
【００２６】
図２は、前記プリンタによって前記可変情報が印字された後の表示タグ連続体を示す平面図である。前記表示タグ連続体１は、短冊状で四つの角部が丸く形成された前記表示タグ４ａ、４ｂ、４ｃが前記ミシン目３ａ、３ｂを介して連続形成されている。
【００２７】
前記タグ基材２は、紙製基材のほか、ポリエチレンやポリ塩化ビニルなどのプラスチック基材を用いることができるが、コスト面や加工適正から紙製基材を用いることが好ましい。このタグ基材２の厚さについては特に限定しないが、紙製基材を用いる場合は、０．２〜０．４ｍｍ程度の紙製基材が用いられる。厚さが０．２ｍｍ未満では、強度が弱く折れや破れが生じやすくなる。また、厚さが０．４ｍｍを超えると、強度は充分であるが切断しにくくなる。
【００２８】
また、前記タグ基材２は、一方の面に固定情報が印刷されるとともに可変情報がプリンタ印字されることから、この一方の面は印刷適正および印字適正を要する。詳しくは、この一方の面に、白色顔料と接着剤などを混ぜたコート剤を塗工するとともに高圧を加えて平滑性をもたせたり、このような平滑性をもたせた薄紙を表出面となるように接着して用いることができる。さらに、前記タグ基材２の一方の面に感熱発色層を塗工して、プリンタのサーマルヘッドによって直接印字できる感熱性基材としても良い。
【００２９】
図３は、図２に示すＡ−Ａ線断面図であり、予定切断部分であるミシン目３ａ部分の断面形状を示している。前記ミシン目３ａ部分の断面は、前記タグ基材２を貫通する前記切れ部５および非切れ部６からなり、この切れ部５および非切れ部６が交互に連続して形成され、前記切れ部５および非切れ部６の長さは０．２〜０．５ｍｍ程度とし、前記切れ部５および非切れ部６の長さの比率をほぼ同程度としている。なお、前記表示タグ連続体１におけるミシン目３は、すべて前記ミシン目３ａと同一形状に形成されている。
【００３０】
前記切れ部５および非切れ部６の長さは、好ましくは、０．２〜０．３ｍｍとし、たとえば、切れ部５が０．２ｍｍに対し非切れ部６が０．２ｍｍ、切れ部５が０．２ｍｍに対し非切れ部６が０．３ｍｍ、切れ部５が０．３ｍｍに対し非切れ部６が０．２ｍｍ、切れ部５が０．３ｍｍに対し非切れ部６が０．３ｍｍ、などという組み合わせで用いることができる。このような組み合わせの場合、前記切れ部５および非切れ部６の長さの比率は、１：１、１：１．５、１．５：１などというように、最大でも１．５倍以内の対比となり、長さの比率はほぼ同程度となる。
【００３１】
図４は、図２に示した表示タグ連続体を単葉の表示タグに切断した様態を示す平面図である。先述した表示タグ連続体１は、前記表示タグ４ａと、表示タグ４ｂと、を引き離す方向へ分離することによって、前記ミシン目３ａの前記非切れ部６が順次切断されて、単葉の表示タグ４ａと、単葉の表示タグ４ｂと、を得ることができる。同様に、前記表示タグ４ｂと、表示タグ４ｃと、を引き離す方向へ分離することによって、前記ミシン目３ｂの前記非切れ部６が順次切断されて、単葉の表示タグ４ｂと、単葉の表示タグ４ｃと、を得ることができる。
【００３２】
先述したように、前記ミシン目３の前記切れ部５および前記非切れ部６は、長さが０．２〜０．５ｍｍ程度と非常に短く形成されている。よって、前記表示タグ４ａと、表示タグ４ｂと、を切断する際には、前記ミシン目３ａの０．２〜０．５ｍｍ程度の前記非切れ部６を切断すれば良いので、ごくわずかの力で切断することができる。また、このごくわずかの力を連続して加えることによって円滑に切断することができる。さらに、切断された前記非切れ部６は０．２〜０．５ｍｍと非常に短いため切断部が毛羽立って目立つことがないようにすることができる。以上のことからも前記非切れ部６の長さは、より短い０．２〜０．３ｍｍであることが好ましい。
【００３３】
なお、以上のような表示タグ連続体１は、高速かつ大量の印刷加工ができること、長尺状の原紙を巻き取ったロール紙が使用できること、から輪転印刷機を用いて印刷加工されることが多い。この輪転印刷機は、円筒型の版面と円筒型の圧胴との間に前記ロール紙を通して連続回転させて印刷加工するものであるが、安定した印刷加工を行うためには、原紙を巻き取ったロール紙から印刷加工された表示タグ連続体１までにわたって、所定の張力を与えることが不可欠となる。このような輪転印刷機においては、前記ミシン目３の前記切れ部５の長さに対して前記非切れ部６の長さを短く、つまり、前記切れ部５に対する前記非切れ部６の長さの比率を小さくし過ぎると、印刷加工中に前記ミシン目３から切断されてしまうことがある。本発明の表示タグ連続体１では、前記ミシン目３の前記切れ部５および前記非切れ部６の長さの比率をほぼ同程度としているので、印刷加工中に切断されることがなく、充分な強度を保持することができるものである。
【００３４】
このように本発明にかかる表示タグ連続体の第１実施形態では、帯状タグ基材２の幅方向の予定切断位置に設けたミシン目３から切断することにより、短冊状で四つの角部が丸く形成された表示タグ４を形成可能とするとともに、この表示タグ４が前記ミシン目３を介して連続形成され、所定枚数の前記表示タグ４ごとに前記ミシン目３からつづら折りされた表示タグ連続体１であって、前記ミシン目３は、切れ部５および非切れ部６が交互に形成され、前記切れ部５および前記非切れ部６の長さを０．２〜０．５ｍｍとし、前記切れ部５および前記非切れ部６の長さの比率をほぼ同程度としたので、予定切断部分よりずれて切断されてしまうとがなく、かつ、予定切断部分より切断しても切断部が毛羽立って目立つことのない、表示タグ連続体１を提供することができる。
【００３５】
次に、本発明にかかる表示タグ連続体の第２実施形態について説明する。図５は、本発明にかかる第２実施形態の表示タグ連続体を示す平面図であり、図６は、図５に示すＢ−Ｂ線断面図である。
【００３６】
本発明にかかる表示タグ連続体のタグ基材が紙製基材からなる場合、この紙製基材を形成する紙繊維は細長いため、紙をすいている方向（抄紙方向）に並びやすい。つまり、ロール状に巻き取られる長尺状の前記タグ基材では、紙繊維が巻き取り方向に平行に並んで形成される。よって、このタグ基材の幅方向に設けられるミシン目は、紙繊維に対して垂直方向に分断するように形成される。このように紙繊維に対して垂直方向に分断するように前記ミシン目を形成すると、このミシン目の非切れ部の表面層を破断しながらつづら折りすることとなり、かかるつづら折りされた前記ミシン目は強度的に弱くなって、さまざまな場面で不意に切断しやすくなってしまう。
【００３７】
本発明にかかる表示タグ連続体の第２実施形態と、先述した第１実施形態と、を比較すると、図５に示す表示タグ連続体１０、表示タグ１４ａ、１４ｂ、１４ｃは、先述の図２に示した表示タグ連続体１、表示タグ４ａ、４ｂ、４ｃに該当し、図５に示すミシン目１３ａ、１３ｂは、先述の図２に示したミシン目３ａ、３ｂに該当する。この第２実施形態では、前記ミシン目１３ａ、１３ｂの形状が、第１実施形態の前記ミシン目３ａ、３ｂの形状と異なるものである。  
【００３８】
第２実施形態にかかる表示タグ連続体１０のミシン目１３は、予定切断位置の両端部に非切れ部を設け、この予定切断位置の両端部に設けた非切れ部の長さを１．０〜２．０ｍｍとしたものである。
【００３９】
図５に示す表示タグ連続体１０のミシン目１３ａおよびミシン目１３ｂは、帯状タグ基材２の幅方向の予定切断位置に設けられ、この予定切断位置の両端部は必ず非切れ部となるように設けられている。
【００４０】
図６は、図５に示すＢ−Ｂ線断面図であり、予定切断位置に設けられた前記ミシン目１３ａ部分の断面形状を示している。前記ミシン目１３ａ部分の断面は、その両端部が必ず非切れ部となるように、両端部の非切れ部１６がそれぞれ設けられ、この両端部の非切れ部１６の長さは１．０〜２．０ｍｍに形成される。なお、前記切れ部５および前記非切れ部６の長さは、第１実施形態と同様に０．２〜０．５ｍｍ程度に形成される。
【００４１】
この両端部の非切れ部１６は、前記タグ基材２を前記表示タグ連続体１０に印刷加工し、所定枚数の前記表示タグ１４ごとに前記ミシン目１３からつづら折りされてから、必要に応じて前記表示タグ１４ごとに前記ミシン目１３から切断されるまでの間に、このミシン目１３から不意に切断してしまうことの無いよう、充分な強度を保持するために設けられるものである。
【００４２】
このように本発明にかかる表示タグ連続体の第２実施形態では、前記ミシン目１３は、前記予定切断位置の両端部に非切れ部１６を設け、この予定切断位置の両端部に設けた非切れ部１６の長さを１．０〜２．０ｍｍとしたので、予定切断部分よりずれて切断されてしまうとがなく、かつ、予定切断部分より切断しても切断部が毛羽立って目立つことがないとともに、予定切断部分より不意に切断してしまうことを防止した表示タグ連続体を提供することができる。
【００４３】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００４４】
【図１】本発明にかかる第１実施形態の表示タグ連続体のつづら折りした様態を示す斜視図である。
【図２】本発明にかかる第１実施形態の表示タグ連続体を示す平面図である。
【図３】図２に示すＡ−Ａ線断面図である。
【図４】本発明にかかる第１実施形態の表示タグ連続体を単葉の表示タグに切断した様態を示す平面図である。
【図５】本発明にかかる第２実施形態の表示タグ連続体を示す平面図である。
【図６】図５に示すＢ−Ｂ線断面図である。
【図７】従来のプリンタ用表示タグ連続体を示す平面図である。
【図８】予定切断部分にあらかじめ切断用のミシン目が形成された従来の表示タグ連続体を示す平面図である。
【符号の説明】
【００４５】
１、１０  表示タグ連続体
２  タグ基材
３、３ａ、３ｂ、  ミシン目
４、４ａ、４ｂ、４ｃ  表示タグ
５  切れ部
６  非切れ部
１６  非切れ部（両端部）
２０  プリンタ用表示タグ連続体（従来）
２４ａ、２４ｂ  プリンタ用表示タグ（従来）
３０  表示タグ連続体（従来）
３３  ミシン目（従来）
３４ａ、３４ｂ  表示タグ（従来）
３５  切れ部（従来）
３６  非切れ部（従来）
３７  ミシン目切断部
【図１】
2007034091.tif 000003
【図２】
2007034091.tif 000004
【図３】
2007034091.tif 000005
【図４】
2007034091.tif 000006
【図５】
2007034091.tif 000007
【図６】
2007034091.tif 000008
【図７】
2007034091.tif 000009
【図８】
2007034091.tif 000010